(57)【要約】【課題】カバー部材が一体的に取り付けられており、そのカバー部材を移動させることにより、内容物の噴射操作が可能な操作状態と、その噴射操作が不可能な収容状態とをとることができるエアゾール装置を提供する。【解決手段】耐圧容器１４およびエアゾールバルブ１５からなるエアゾール容器１１と、そのエアゾール容器に装着され噴射孔３７と操作部３９とを備えた噴射部材１２と、そのエアゾール容器１１に装着され、噴射部材１２を保護するカバー部材１３とからなるエアゾール装置１０。また、カバー部材１３はエアゾール容器の円筒部１４と軸方向に摺動し、噴射孔３７を露出させるための噴射窓４３と、噴射部材１２を操作するための操作窓４４とを備えている。さらに、カバー部材１３をエアゾール容器に対して摺動させることにより、噴射窓４３および操作窓４４が閉じられる第１状態と、噴射窓４３と操作窓４４が開放される第２状態とすることができる。【選択図】図１
2007099304.tif 000002
【特許請求の範囲】
【請求項１】
耐圧容器の開口部にエアゾールバルブが固着されたエアゾール容器と、そのエアゾール容器に装着され噴射孔と操作部とを備えた噴射部材と、噴射部材を保護するようにそのエアゾール容器に装着されるカバー部材とからなるエアゾール装置であって、
前記カバー部材が、噴射孔より噴射された内容物を外部に放出するための噴射窓と、操作部を操作するための操作窓とを備えており、かつ、操作部の操作が行えない第１状態と、操作部の操作が可能な第２状態とをとることができるようにエアゾール容器に対して移動自在に設けられている、エアゾール装置。
【請求項２】
カバー部材が、エアゾール容器の円筒部に沿って軸方向に移動する胴部を備えており、胴部の側面に操作窓が設けられており、第１状態では操作窓がエアゾール容器によって塞がれ操作部の操作が行えず、第２状態では操作窓がエアゾール容器から開放され操作部の操作が可能となる請求項１記載のエアゾール装置。
【請求項３】
前記カバー部材が、噴射窓および操作窓が閉じられる第１状態と、前記噴射孔および操作部がそれぞれ噴射窓および操作窓から開放される第２状態とをとることができるようにエアゾール容器の円筒部に沿って軸方向に移動する、請求項１記載のエアゾール装置。
【請求項４】
前記カバー部材が、エアゾール容器の円筒部に沿って軸方向に移動する有底筒状のものであり、頭部と、胴部と、噴射孔を露出させるための噴射窓と、指を挿入して噴射部材を操作するための操作窓とを備えており、
前記噴射窓が、胴部の側面に設けられている請求項１記載のエアゾール装置。
【請求項５】
前記噴射窓が、胴部の側面を円弧状に切削して設けられている請求項４記載のエアゾール装置。
【請求項６】
第１状態を保持するロック手段を備えている請求項１記載のエアゾール装置。
【請求項７】
第２状態のとき、噴射孔の延長線が噴射窓の中心を通る請求項１記載のエアゾール装置。
【発明の詳細な説明】
【技術分野】
【０００１】
本発明は、エアゾール装置に関する。さらに詳しくは、エアゾール容器に装着された噴射部材を保護するカバー部材を備えたエアゾール装置に関する。
【背景技術】
【０００２】
【特許文献１】特開２００４−１２２１０４号公報
【特許文献２】実公昭６２−２５２２４号公報
【特許文献３】実公平６−１９５３２号公報
【０００３】
従来、市販のエアゾール装置には、そのエアゾール装置を使用しないときに噴射孔および操作部を備えた噴射部材を保護し、誤操作による噴射を防止するカバー部材が備え付けられている。このカバー部材として、エアゾール容器本体にクリップ嵌合によって装着されるカップ状のカバー部材（オーバーキャップ）が一般的である。また、噴射部材を保護するだけでなく、様々な作用を備えたカバー部材が知られている。
【０００４】
特許文献１の図１２および図１３には、エアゾール容器と噴射部材に外装される有底円筒状の噴射切り替えカバー部材を有するエアゾール製品が開示されている。このエアゾール製品のカバー部材は持ち上げることにより、エアゾール容器および噴射部材に対して摺動し、トリガー式の噴射部材が、カバー部材に設けられた開口部から露出し、噴射操作が可能となるものである。
【０００５】
特許文献２には、正、逆の二方向に取り付けて使用される有底筒状のカバー部材を備えたエアゾール装置であって、カバー部材を上下ひっくり返してエアゾール容器に装着することができるものが開示されている。このものはカバー部材の上底部に噴射部材あるいはエアゾール容器のバルブと嵌合することができる嵌合部と、連通孔とが形成されている。これにより、カバー部材を上下ひっくり返してエアゾール容器に装着し、カバー部材の開口部を噴射部位、例えば患部に押し当て、エアゾール装置をその噴射部位に押し付けるようにして噴射することにより、内容物の噴霧粒子をカバー部材内のみで拡散させ、周囲に飛散するのを防止することができる。
【０００６】
さらに、特許文献３には、カバー部材と操作部材とを兼用した有底筒状のカバー部材を備えたエアゾール装置が開示されている。このエアゾール装置のカバー部材の開口を患部に押し当てて、エアゾール装置を患部に対して押し付けるようにして噴射する。これにより、噴霧粒子をカバー部材内で拡散させることができ、周囲に飛散するのを防止できる。
【発明の開示】
【発明が解決しようとする課題】
【０００７】
しかし、特許文献１のエアゾール製品は、噴射部材の噴射孔と操作部（トリガー部）とが同じ開口部から露出するため、噴射対象物を覆った状態での噴射操作をすることができない。
また、特許文献２のエアゾール装置は、カバー部材をエアゾール容器から取り外して再度装着する分離型のカバー部材であるため、カバー部材を紛失してしまうおそれがある。さらにこのカバー部材には、噴射部材等を覆う空間と、その上底部に噴射部材等と嵌着する構成とが必要であるから、通常のキャップ型のカバー部材より大きくなる。そのためカバー部材を装着したエアゾール装置が大きくなり、搬送および持ち運びに不向きとなる。容器を小さくするなど、その搬送等に差し支えない大きさにしても、分離型であるため、そのカバー部材の分離、装着が困難になる。さらに、カバー部材を逆にして装着し使用するが、カバー部材を患部に押し付けて噴射するため、打撲や傷などの痛みを感じやすい部分への噴射には、不向きである。また、カバー部材の円筒の胴部の断面積が付着範囲を規制するため、広い噴射対象物への噴射には不向きである。
【０００８】
さらに、特許文献３のエアゾール装置は、カバー部材を押すことによっていつでも噴射されるため、誤操作による内容物の噴射が問題となる。また、このエアゾール装置は、小型のものを対象としており、カバー部材もその分小さくなるため局部的に噴射するのには適しているが、カバー部材が小さいので、押し付け力が患部に大きく伝わりやすく、特許文献２と同様に、痛みを感じやすい部分への噴射には不向きである。また、広い範囲への噴射には不向きである。
【０００９】
本発明は、このような問題点を解決したものであり、カバー部材がエアゾール容器と一体的に取り付けられており、そのカバー部材を移動させることにより、内容物の噴射操作が可能な操作状態と、その噴射操作が不可能な収容状態とをとることができ、そして、操作状態のとき、噴射対象物を覆った状態で噴射することができ、かつ、噴射対象物に押し付けなくても（接触させなくても）目的とする範囲にのみ噴射することができるエアゾール装置を提供することを目的としている。
【課題を解決するための手段】
【００１０】
本発明のエアゾール装置は、耐圧容器の開口部にエアゾールバルブが固着されたエアゾール容器と、そのエアゾール容器に装着され噴射孔と操作部とを備えた噴射部材と、噴射部材を保護するようにそのエアゾール容器に装着されるカバー部材とからなるエアゾール装置であって、前記カバー部材が、噴射孔より噴射された内容物を外部に放出するための噴射窓と、操作部を操作するための操作窓とを備えており、かつ、エアゾール容器に対して操作部の操作が行えない第１状態と、操作部の操作が可能な第２状態とをとることができるように移動自在に設けられていることを特徴としている（請求項１）。
【００１１】
このようなエアゾール装置であって、カバー部材が、エアゾール容器の円筒部に沿って軸方向に移動する胴部を備えており、胴部の側面に操作窓が設けられており、第１状態では操作窓がエアゾール容器によって塞がれ操作部の操作が行えず、第２状態では操作窓がエアゾール容器から開放され操作部の操作が可能となるものが好ましい（請求項２）。また、前記カバー部材が、噴射窓および操作窓が閉じられる第１状態と、前記噴射孔および操作部がそれぞれ噴射窓および操作窓から開放される第２状態とをとることができるようにエアゾール容器の円筒部に沿って軸方向に移動するものが好ましい（請求項３）。
さらに、前記カバー部材が、エアゾール容器の円筒部に沿って軸方向に移動する有底筒状のものであり、頭部と、胴部と、噴射孔を露出させるための噴射窓と、指を挿入して噴射部材を操作するための操作窓とを備えており、前記噴射窓が、胴部の側面に設けられているものが好ましい（請求項４）。このようにカバー部材の胴部に設けられているものであって、噴射窓が胴部の側面を円弧状に切削して設けられているものが好ましい（請求項５）。
【００１２】
そして、本発明のエアゾール装置では、第１状態を保持するロック手段を備えていてもよい（請求項６）。さらに第２状態のとき、噴射孔の延長線が噴射窓の中心を通るものがよい（請求項７）。
【発明の効果】
【００１３】
本発明のエアゾール装置は、カバー部材が、噴射孔より噴射された内容物を外部に放出するための噴射窓と、操作部を操作するための操作窓とを備えており、かつ、エアゾール容器に対して操作部の操作が行えない第１状態と、操作部の操作が可能な第２状態とをとることができるように移動自在に設けられているため、エアゾール装置を使用しないときは第１状態にして噴射部材を保護し、エアゾール装置を使用するときは第２状態にすることにより、カバー部材を取り外さずに噴射することできる。そのため、カバー部材の紛失を防止できる。また、噴射窓を備えているため、噴射窓をその噴射対象物に接合あるいは当接することにより、確実に噴射対象物に内容物を噴霧することができ、かつ、その内容物の周囲への飛散を防止することができる。また、カバー部材を噴射対象物に押し付けなくても噴射できるため、痛みを感じやすい部分であっても好適に使用できる。
【００１４】
本発明のエアゾール装置において、カバー部材が、エアゾール容器の円筒部に沿って軸方向に移動する胴部を備えており、胴部の側面に操作窓が設けられており、第１状態では操作窓がエアゾール容器によって塞がれ操作部の操作が行えず、第２状態では操作窓がエアゾール容器から開放され操作部の操作が可能となる場合、カバー部材をエアゾール容器の円筒部に沿って軸方向に移動させるだけでエアゾール装置を第１状態あるいは第２状態に移行させることができる。
また、カバー部材が噴射窓および操作窓が閉じられる第１状態と、噴射孔および操作部がそれぞれ噴射窓および操作窓から開放される第２状態とをとることができるようにエアゾール容器の円筒部に沿って軸方向に移動する場合、エアゾール装置を使用しない場合、第１状態としておくことにより周囲の温度が高くなり、内圧が上昇するなどエアゾール容器に異常が生じたときにエアゾール容器から漏洩する内容物の飛散を防止し、かつ、使用者等による誤作動、あるいは、運搬時などにおける外力による誤作動を防止する。
【００１５】
さらに、前記カバー部材が、エアゾール容器の円筒部に沿って軸方向に移動する有底筒状のものであり、頭部と、胴部と、噴射孔を露出させるための噴射窓と、指を挿入して噴射部材を操作するための操作窓とを備えており、
前記噴射窓が、胴部の側面に設けられている場合、噴射窓の面積をカバー部材の胴部の断面積よりも大きくすることができるため、広範囲な噴射対象物へ好適に利用できる。特に、前記噴射窓が、胴部の側面を円弧状に切削して設けられている場合、肩や首、腕、脚、頭など人体の凸状（曲面）になっている噴射対象物に対して、カバー部材の噴射窓を隙間なく密接させることができる。そして、エアゾール装置の内容物を飛散させることなく、付着させにくい凸状の部分であっても確実に噴射対象物の対象部位に内容物を付着させることができる。
【００１６】
前記第１状態を保持するロック手段を備えている場合、かばんの中に入れて持ち歩いても使用しない状態を保持することができる。また、前記第２状態のとき、噴射孔の延長線と噴射窓の中心が交差する場合、内容物を噴射対象物に均一な濃度で付着させやすく、内容物を無駄なく噴射することができる。
【発明を実施するための最良の形態】
【００１７】
次に本発明のエアゾール装置の実施形態を図面を用いて説明する。図１は本発明のエアゾール装置の一実施形態の第１状態を示す斜視図、図２は図１のエアゾール装置の第２状態を示す斜視図、図３は図１のエアゾール容器および噴射部材を示す断面図、図４ａは本発明のエアゾール装置の他の実施形態の第２状態を示す斜視図、図４ｂはその第２状態の他の形態を示す斜視図、図５ａは本発明のエアゾール装置のさらに他の実施形態の第１状態を示す斜視図、図５ｂはその第２状態を示す斜視図、図６は本発明のエアゾール装置のさらに他の実施形態の第２状態を示す斜視図、図７ａは本発明のエアゾール装置のさらに他の実施形態の第１状態を示す斜視図、図７ｂはその第２状態を示す斜視図、図８ａは図７の噴射部材と支持部材を表わす一部斜視図、図８ｂは図７の噴射部材の断面側面図、図９ａは本発明のエアゾール装置のさらに他の実施形態の第１状態を示す斜視図であり、図９ｂはその一部斜視図である。
【００１８】
図１に示すエアゾール装置１０は、エアゾール容器１１と、そのエアゾール容器に装着された噴射部材１２と、その噴射部材を保護し、かつ、上下に移動するようにエアゾール容器の周囲に装着される有底筒状のカバー部材１３とを備えている。
【００１９】
エアゾール容器１１は、従来公知のものであり、図３に示すように耐圧容器１４と、その耐圧容器の開口部に固着されたエアゾールバルブ１５とからなる。
耐圧容器１１は、アルミニウム、ブリキなどの金属板を絞り加工またはインパクト加工により底部１６および円筒部１７を備えた有底筒状に形成し、ついで、その円筒部上端にネッキング加工を施して肩部１８を形成し、肩部上端にカーリング加工によりビード部１９を形成したものである。また、底部１６は中心に向けてテーパー状に盛り上がる山型に形成している。これにより、内圧に対する容器の耐圧性が高まり変形しにくい。なお、合成樹脂や耐圧ガラスなど、耐圧性を有する他の材質のものを用いてもよい。
【００２０】
エアゾールバルブ１５は、耐圧容器１４のビード部１９にクリンプして固定されるカール部２８を備えた金属製のマウンティングカップ２１と、そのマウンティングカップの中央に保持される筒状で合成樹脂製のハウジング２２と、そのハウジング内に上下移動自在に収容されステム孔２３を有する合成樹脂製のステム２４と、そのステムを常時上向きに付勢するバネ２５と、前記ステム孔を塞ぐステムラバー２６と、前記ハウジングの下端から容器本体の底部に延びているディップチューブ２７とからなるものである。これらの部材の材料は特に限定されず、金属から形成しても、合成樹脂により形成してもよい。
【００２１】
噴射部材１２は、マウンティングカップのカール部２８に嵌着される支持部材３１と、エアゾールバルブのステム２４に挿入される操作部材３２とからなる。
支持部材３１は、円筒状の胴部３３と、その内周下端に設けられた係合部３４と、その上端に設けられたフランジ部３５とを備えている。また、胴部外周にエアゾール容器の軸方向に形成された半径方向に突出した２本のガイド４０が１８０度対向するように２個設けられている。この係合部３４がマウンティングカップのカール部２８の外周端あるいは耐圧容器のビード部２９の下端とクリップ係合し、フランジ部３５がマウンティングカップのカール部上端と係合することによって支持部材３１は、エアゾール容器に装着される。この部材も金属板あるいは合成樹脂から成形される。また、ガイド４０は、後述するが、カバー部材１３の軸方向の移動を回転しないように案内するものである。
【００２２】
操作部材３２は、ステム２４が挿入されるステム装着部３６と、上部前側に形成され、斜め上を向いている噴射孔３７と、そのステム装着部と噴射孔とを連通する通路３８とを備えており、上部外周が半卵状で滑らかな曲面を形成している。そして、この操作部材３２の上面から後部の滑らかな曲面が押し部（操作部）３９になる。
【００２３】
図１に戻って、カバー部材１３は、頭部４１と、その頭部の下端で連結しており、耐圧容器の円筒部より若干径の大きい円筒状の胴部４２とを備えている。そして、その胴部の中部に噴射窓４３が形成され、その噴射窓と１８０度反対側を向いている胴部の下部に操作窓４４が形成されている。また、胴部４２の内面には、前述の支持部材のガイド４０の間に嵌合する突出部４５が胴部の軸方向に対向して延びるように２本形成されている。また、この胴部４２の内面であって、突出部４５の上端より上部（カバー部材上部１３ａ）、および、突出部の下端より下部（カバー部材下部１３ｂ）は、内径が若干小さくなっており、支持部材のガイド部４０と係合するように形成されている。これによりカバー部材上部１３ａ、および、カバー部材下部１３ｂが、ストッパーの作用を奏し、カバー部材１３がエアゾール容器から外れるのを防止する。
【００２４】
このようにカバー部材１３は構成されているため、突出部４５がガイド４０に嵌入するようにエアゾール容器１１をカバー部材の下端から挿入することによって、カバー部材１３をエアゾール容器に対して上下に摺動させることができる。つまり、エアゾール装置１０は、カバー部材１３をエアゾール容器１１に対して下げることによってガイド４０がカバー部材上部１３ａの内面と当接する第１状態あるいは収容状態（図１参照）と、カバー部材をエアゾール容器に対して上げることによってガイドがカバー部材下部１３ｂの内面と当接する第２状態あるいは操作状態（図２参照）とをとることができる。
【００２５】
図１に示す第１状態では、カバー部材の頭部４１が噴射部材１２の全体を覆い、噴射窓４３と操作窓４４とが、エアゾール容器の胴部によって閉じられている。そのため、エアゾール容器に異常が生じたときにエアゾール容器から漏洩する内容物の飛散を防止し、かつ、使用者等による誤作動、あるいは、運搬時などにおける外力による誤作動を防止する。それに対して、図２に示す第２状態では、噴射窓４３および操作窓４４とが開放されている。そして、噴射部材の噴射孔３７の向いている方向に、噴射窓４３の中心近辺が位置し、使用者が指を挿入して操作部材３２を操作できるように噴射窓４４が位置するように構成されている。そのため、使用者は噴射窓で噴射対象物を覆い、操作部材を操作してエアゾール容器内の内容物を噴射対象物に噴射させることができる。
【００２６】
さらに、このカバー部材の噴射窓４３は、球体あるいは円筒の側面部を密接して閉じるような形状、または、軸方向に対する胴部の断面を円弧でもって切削した形状をしており、その開口縁は滑らかな曲線となっている。そのため、円筒の側面部（特に、腕、脚、首、肩、わき腹、背中など）あるいは球体（特に、頭）などの噴射対象物に対して、カバー部材の噴射窓４３を隙間なく密接させることができる。これにより、噴射した内容物（霧）が跳ね返りやすく付着しにくい部分であっても、内容物を飛散させることなく、確実に噴射対象物の対象部位に内容物を噴射させることができる。
【００２７】
このようにエアゾール装置１０は、カバー部材１３をエアゾール容器に対して摺動させることにより、収容状態と操作状態とにすることができる。そして、使用しない場合、第１状態とすることにより、誤使用を防止し、エアゾール容器自体に異常が生じたときの内容物の飛散を防止することができる。また、使用する場合はエアゾール装置を第２状態として操作することにより、頭部や腕など円筒や球体のような噴射対象物であっても噴射窓４３で覆うことにより、確実に噴射対象物の対象部位に内容物を噴霧し、かつ、その内容物の飛散を防止することができる。
【００２８】
図４に示すエアゾール装置５０は、カバー部材５１の内面に図１のエアゾール装置１０のカバー部材１３の内面の突出部４５に対応する部位に２本の縦溝５２が形成されており、かつ、その縦溝の下端において、それぞれの縦溝５２と連続するように内周縁に沿って斜め下方に横方向にのびる横溝５２ａ（ネジ状）が形成されているものである。この横溝５２ａは、対向する縦溝５２とは連続しないが、カバー部材が軸方向に移動しながら１８０度回転できるように形成されている。また、縦溝の上端には、それぞれ縦溝と連続するように内周縁に沿って横方向にのびるロック溝５２ｂが形成されている。さらに、図１のエアゾール装置１０の噴射部材１２のガイド４０に対応する部位に、円筒状の突出部５３が２個形成されている。他の構成は図１のエアゾール装置１０と実質的に同じである。
【００２９】
このようにエアゾール装置５０は構成されているため、図４ａに示すようにカバー部材５１をエアゾール容器に対して上げて第２状態としたとき、カバー部材５１をエアゾール容器の胴部外周縁に対して約１８０度回転させることができる（図４ｂ参照）。これにより、図４ａの第２状態では噴射窓であった大きい開口５４が図４ｂでは操作窓となり、図４ａでは操作窓であった小さい開口５５が図４ｂでは噴射窓となる。このように噴射窓の大きさを２つのタイプに変えることができるため、噴射対象物に応じてその噴射窓の大きさを選択することができる。例えば、太ももなど径の大きい円筒物に噴霧する場合は、大きい開口５４を噴射窓として使用し、手首などの小さい径の円筒物に噴霧する場合は、小さい開口５５を噴射窓として使用することによって、噴射窓と噴射対象物とをより隙間なく密接させることができ、内容物の飛散を防止することができる。さらに、第１状態においてカバー部材を回転させることにより突出部がロック溝に係合され、カバー部材が軸方向に移動できない。これによりエアゾール装置をかばんの中に入れてもち運ぶなど、エアゾール装置に不規則な方向から力が加わってもカバー部材が動くことなく、誤って噴射されることがない。
【００３０】
図５に示すエアゾール装置６０は、カバー部材６１をエアゾール容器に対して上下に摺動させることにより、図５ａの収容状態（第１状態）と図５ｂの操作状態（第２状態）とにすることができるが、収容状態においてカバー部材６１の噴射窓６２が密閉されないものである。
エアゾール装置６０は、噴射部材６３がエアゾール容器に対して垂直上向きの噴射孔６４を備えており、カバー部材６１がエアゾール容器の円筒部と摺動する胴部６５と、その胴部側面に形成された操作窓６６と、その胴部の上端からその径が小さくなるように延びているテーパー状の肩部６７と、その肩部の上端から若干角度を設けて延びている頭部６８と、その頭部の上端に形成された噴射窓６２とを備えている。また、操作窓６６は、胴部６５の下端から胴部の上部まで延びている突部６９によって形成された空間からなる。他の構成は、図１に示すエアゾール装置１０と実質的に同じものである。なお、突部６９を設けず、単なる切り欠きとすることもできる。ただし、突部６９を設ける方が、強度が高く、カバー作用が高い。
【００３１】
このように構成されているため、図１のエアゾール装置１０と同様に、カバー部材６１をエアゾール容器に対して下げることによって操作窓６６がエアゾール容器本体によって閉じられた第１状態あるいは収容状態となり、カバー部材をエアゾール容器に対して上げることによって操作窓６６が開放された第２状態あるいは操作状態となる。この第２状態において、使用者は操作窓６６に人差し指などの指を挿入して噴射部材６３を操作することができる。
【００３２】
また、このエアゾール装置６０は、噴射窓６２がカバー部材の若干曲げられた先端に設けられているため、噴射対象面積が狭い場合でも確実にその噴射対象に内容物を噴霧することができる。例えば、脇の下などに制汗成分、消臭成分を含む内容物を噴霧する場合、カバー部材の頭部である先端を袖の下から脇の下に挿入することによって確実に脇の下に内容物を噴霧することができる。また、頭髪を噴射窓から挿入し、ヘアケア成分を含む内容物や染毛成分を含む内容物を目的部位（たとえば先端付近）にのみ噴射することができる。さらに指を噴射窓から挿入し、殺菌消毒成分を含む内容物を指先にのみ噴射することもできる。
【００３３】
図６に示すエアゾール装置７０は、カバー部材７１がその上端に開口する噴射窓７２を備えたものである。
カバー部材７１は、エアゾール容器の円筒部に沿って摺動する胴部７３と、その胴部の上端からその径が大きくなるように延びているテーパー状の肩部７５と、胴部側面から肩部にかけて形成された操作窓７４と、その肩部の上端からなる噴射窓７２とを備えている。また、噴射部材７６は、上３方向に向けたノズルが設けられており、各ノズルの先端に噴射孔７７を備えている。さらに、ノズルが噴射部材の操作部の上方にのびており、カバー部の噴射窓から指を挿入しても操作部を操作できないようにしている。
【００３４】
このように構成されているため、図５のエアゾール装置６０と同様に、カバー部材７１を下げることによって操作窓７２が閉じられた第１状態となり、カバー部材をエアゾール容器に対して上げることによって操作窓７２が開放された第２状態となる。
このエアゾール装置７０は、噴射窓７２がエアゾール容器に対して上方に大きく開放しているため、エアゾール容器本体に対して比較的大きな噴射対象物に内容物を噴霧することができる。例えば、この噴射窓７２に足の裏を載せ、抗真菌成分を含む内容物を足の裏全体に噴霧するなどが挙げられる。また、噴射窓を背中に当てて、消炎鎮痛成分を含む内容物を患部のみに噴霧することもできる。
【００３５】
図７に示すエアゾール装置８０は、噴射部材８１の後部にＬ字状のハンドル８３を有するものであり、このハンドル８３を把持して噴射部材を操作する。
噴射部材８１は、図８に示すようにエアゾール容器に装着される円筒状の支持部材８２と、操作部材８４とを備えている。支持部材８２は、その外縁から水平後方に突出した支持部８６と、その端部で下方に延びる取手８７と、その支持部８６と取手８７とを連結する段部８８とからなるＬ字状のハンドル８３とを備えている。そして、支持部８６には上に開口した溝８９が形成されている。また、支持部材８２の前部には、操作部材と回動自在に係合する係合部８９ａが設けられている。この係合部８９ａには、後述する噴射部材の突起８４ｂを挿入する孔が設けられている。
【００３６】
操作部材８４は、ステム装着部８４ａと、噴射孔８１ａと、それらをつなぐ通路８１ｂとを備え、前部には支持部材の係合部８９ａと係合する突起８４ｂが形成されている。また、操作部材８４は水平後方に突出した操作部８５を備えており、この操作部８５は前記支持部の溝８９とその底８９ｂで当接せず挿入されている。
このように噴射部材は構成されているため、噴射部材の操作部８５をハンドルの溝の底８９ｂに向けて押すことにより、操作部材の突起８４ｂと噴射部材の係合部８９ａの結合部位がヒンジとして作用し、結合部位を軸として操作部材が斜め下方に傾斜してバルブを開放し、内容物を噴射する。
【００３７】
次に図７に戻ってこのエアゾール装置８０のカバー部材９０は、上面９０ａを備えた筒状体であり、エアゾール容器の円筒部に沿って移動する胴部９１と、その胴部後方の側面に胴部の軸方向に形成され、前記ハンドルを保護する突出部９２とを備えており、胴部の上部前方が一部の上面と共に切削され形成された噴射窓９３が設けられている。また、前記突出部９２には下端から上方に延びる切り欠きが設けられ操作窓９４を形成している。
【００３８】
このようにエアゾール装置８０は形成されているため、噴射部材のハンドル８３をカバー部材の突出部９２に挿入するように、カバー部材９０をエアゾール容器１１に挿入する。そして、カバー部材の操作窓９４の上枠９４ａがハンドルの段部８８と係合することにより第１状態となる（図７ａ参照）。このとき、支持部材の溝８９に内挿された操作部８５は、カバー部材の突出部９２によって閉じられており、操作することができない。また、操作部材の噴射孔８１ａは、カバー部材９０の上面９０ａによって覆われている。
【００３９】
次に図７ｂに示すようにカバー部材９０を上方に押し上げることにより、ハンドルの支持部８６に配置されている操作部８５がカバー部材の突出部９２の操作窓９４から露出し、操作部８５の操作が可能となる（第２状態）。また、操作部材の噴射孔８１ａとカバー部材の上面９０ａとの間に大きな空間が形成される。そのため、例えば、人間の足をこの空間に挿入して操作部８５を操作することにより、足の指の間、あるいは、足の裏にエアゾール装置の内容物を噴霧することができる。
【００４０】
これまで示したエアゾール装置は、カバー部材をエアゾール容器に対して軸方向に摺動させるものであって、カバー部材をエアゾール容器に対して下げることによって第１状態となり、カバー部材をエアゾール容器に対して上げることによって第２状態となるものを開示してきた。図９に示すエアゾール装置９５は、カバー部材９６をエアゾール容器１１に対して軸方向に摺動させるものであって、カバー部材９６をエアゾール容器１１に対して上げることによって第１状態となり、カバー部材９６をエアゾール容器１１に対して下げることによって第２状態となるものである。
【００４１】
このエアゾール装置９５のカバー部材９６はＴ字状のものであり、エアゾール容器の円筒部と摺動し、上端が開口している胴部９７と、その胴部側面の上端と連続しており、その胴部の軸と垂直方向に拡がって開口している箱型の頭部９８とからなるものである。ここで胴部の上端開口部９９が操作窓であり、頭部の開口部１００が噴射窓である。そして、このエアゾール装置９５の噴射部材１０１は、水平方向に向いた噴射孔１０２を備えている。
【００４２】
このように構成されているため、カバー部材をエアゾール容器に対して軸方向上に摺動させることによって、操作窓である胴部の上端開口部９９が噴射部材１０１から離れた第１状態となり、カバー部材９６をエアゾール容器に対して下げることによって操作窓が噴射部材に近づいた第２状態となる。この第１状態の操作窓と噴射部材の関係は、指を操作窓から挿入しても操作部材を操作できない程度に離れていることを意味し、第２状態の操作窓と噴射部材の関係は、指を操作窓から挿入することによって容易に操作部材を操作できる程度に近づいていることを意味する。これにより、エアゾール装置９５を第２状態とし、大きな噴射窓（頭部開口部１００）を噴射対象物（例えば、背中など広くて平らな対象物）に押し当てて、操作部材を操作してエアゾール容器の内容物を噴射することにより、効率よく噴霧できる。また、足の指などを突っ込んで、内容物を足の指に噴霧することもできる。
【図面の簡単な説明】
【００４３】
【図１】本発明のエアゾール装置の一実施形態の第１状態を示す斜視図である。
【図２】図１のエアゾール装置の第２状態を示す斜視図である。
【図３】図１のエアゾール容器および噴射部材を示す断面図である。
【図４】図４ａは本発明のエアゾール装置の他の実施形態の第２状態を示す斜視図であり、図４ｂはその第２状態の他の形態を示す斜視図である。
【図５】図５ａは本発明のエアゾール装置のさらに他の実施形態の第１状態を示す斜視図であり、図５ｂはその第２状態を示す斜視図である。
【図６】本発明のエアゾール装置のさらに他の実施形態の第２状態を示す斜視図である。
【図７】図７ａは本発明のエアゾール装置のさらに他の実施形態の第１状態を示す斜視図であり、図７ｂはその第２状態を示す斜視図である。
【図８】図８ａは図７の噴射部材と支持部材を表わす一部斜視図であり、図８ｂは図７の噴射部材の断面側面図である。
【図９】図９ａは本発明のエアゾール装置のさらに他の実施形態の第１状態を示す斜視図であり、図９ｂはその一部斜視図である
【符号の説明】
【００４４】
１０  エアゾール装置
１１  エアゾール容器
１２  噴射部材
１３  カバー部材
１３ａ  カバー部材上部
１３ｂ  カバー部材下部
１４  耐圧容器
１５  エアゾールバルブ
１６  底部
１７  円筒部
１８  肩部
１９  ビード部
２１  マウンティングカップ
２２  ハウジング
２３  ステム孔
２４  ステム
２５  バネ
２６  ステムラバー
２７  ディップチューブ
２８  カール部
３１  支持部材
３２  操作部材
３３  支持部材の胴部
３４  係合部
３５  フランジ部
３６  ステム装着部
３７  噴射孔
３８  通路
３９  押し部
４０  ガイド
４１  頭部
４２  胴部
４３  噴射窓
４４  操作窓
４５  突出部
５０  エアゾール装置
５１  カバー部材
５２  縦溝
５２ａ  横溝
５２ｂ  ロック溝
５３  突出部
５４  大きい開口
５５  小さい開口
６０  エアゾール装置
６１  カバー部材
６２  噴射窓
６３  噴射部材
６４  噴射孔
６５  胴部
６６  操作窓
６７  肩部
６８  頭部
６９  突部
７０  エアゾール装置
７１  カバー部材
７２  噴射窓
７３  胴部
７４  操作窓
７５  肩部
７６  噴射部材
７７  噴射孔
８０  エアゾール装置
８１  噴射部材
８１ａ  噴射孔
８１ｂ  通路
８２  支持部材
８３  ハンドル
８４  操作部材
８４ａ  ステム装着部
８４ｂ  突起
８５  操作部
８６  支持部
８７  取手
８８  段部
８９  溝
８９ａ  係合部
８９ｂ  溝の底
９０  カバー部材
９０ａ  上面
９１  胴部
９２  突出部
９３  噴射窓
９４  操作窓
９４ａ  上枠
９５  エアゾール装置
９６  カバー部材
９７  胴部
９８  頭部
９９  上端開口部
１００  噴射窓
１０１  噴射部材
１０２  噴射孔
【図１】
2007099304.tif 000003
【図２】
2007099304.tif 000004
【図３】
2007099304.tif 000005
【図４】
2007099304.tif 000006
【図５】
2007099304.tif 000007
【図６】
2007099304.tif 000008
【図７】
2007099304.tif 000009
【図８】
2007099304.tif 000010
【図９】
2007099304.tif 000011